(57)【要約】【課題】  こすり傷を付けることなく埃及び指紋などの汚れを容易に素早く取り除く光学式ディスク用汚取り装置を得ること。【解決手段】  クリーナー本体の下部からクリーニングローラの要部を突出させると共に回動且つ着脱自在に枢着し、該クリーニングローラがディスク表面に粘着すると共に回動と同期して移動することで汚れを取る、該クリーニングローラの少なくとも表面に粘着性部材を設け、またクリーニングローラの要部のみがディスク表面に接触できるように、クリーニングローラを弾発変形部材で形成すると共に該要部を突出変形可能に設けている。【選択図】      図１
2010015622.tif 000002
【特許請求の範囲】
【請求項１】
クリーナー本体の下部からクリーニングローラの要部を突出させると共に回動且つ着脱自在に枢着し、該クリーニングローラがディスク表面に粘着すると共に回動と同期して移動することで汚れを取る、該クリーニングローラの少なくとも表面に粘着性部材を設けたことを特徴とする光学式ディスク用汚れ取り装置。
【請求項２】
クリーニングローラの要部のみがディスク表面に接触できるように、クリーニングローラを弾発変形部材で形成すると共に該要部を突出変形可能に設けたことを特徴とする請求項１記載の光学式ディスク用汚れ取り装置。
【発明の詳細な説明】
【技術分野】
【０００１】
本発明は、ＣＤ、ＤＶＤ、ＢＤ（ブルーレイディスク）など光学式ディスク（以下ディスクと記載する。）の埃及び指紋などの汚れをクリーニングローラの粘着材に付着させて取り除く光学式ディスク用汚れ取り装置に関する。
【背景技術】
【０００２】
従来のディスクの埃及び指紋などの汚れを取るのに洗浄液をスプレーなどでディスク面に吹き付け、クロス等で拭き取るのが一般的で、また手動又は電動のふき取り部材パットなど及び洗浄液を備えた装置で汚れを取るものとして多く市販され、従来の汚れを取るものは、ディスク面をこすることで拭き取るものが提案されている。
【０００３】
また、従来提案されるディスク用クリーナー装置が有り、このディスク用クリーナー装置は、「ディスクネスト７にはディスク１を半部だけ嵌める」とした実施形態が記載され、そのディスクを手で回転させ、洗浄剤がスポンジ及びフェルトを通ってディスクに達し、洗浄すると共に汚れを拭き取るとすることが記載されている装置である。（例えば、特許文献１参照）
【０００４】
さらに、従来提案されるＤＩＳＣクリーナー機構が有り、このＤＩＳＣクリーナー機構は、手差しでプレーヤー本体１内にＤＩＳＣ４を挿入して、内設されるローラ２の回転によってＤＩＳＣ４をプレーヤー本体１内に移送し、且つそのローラ２の表面に軸方向に向けて複数条のクリーナー６が取り付けられたそのクリーナー６の回転によってＤＩＳＣ４の汚れを拭き取りクリーニングすることが記載されている装置である。（例えば、特許文献２参照）
【０００５】
加えて、提案されるクリーナーが有り、このクリーナーは、クリーナー本体のクリーニングシート（２）の清掃面に、さらに繊維を高密度に植毛したクリーニングシートを重合して着脱可とし、そのクリーニングシート（３）に高密度に植毛された繊維によりＣＤその他の汚れを拭き取り除去される清掃に用いられるとすることが記載されている装置である。（例えば、特許文献３参照）
【０００６】
【特許文献１】特表２００５−５２３５５６号公報
【特許文献２】特開２００７−００４９４２号公報
【特許文献３】特開２０００−０３７３３５号公報
【発明の開示】
【発明が解決しようとする課題】
【０００７】
上述した従来の市販されるディスク用のクリーナー及び特許文献１〜３に提案される装置は、ディスクの盤面を拭き取ることで、汚れを除去するもので、特に特許文献１〜３の装置では、手動若しくは電動での回転機構で汚れを拭き取り除去するクリーナーとして販売されており、その拭き取ることでディスク面に傷が付かないとしている。
【０００８】
しかし、市販されるディスクの価格帯によっては、表面のこすり傷に弱いディスクから表面コーティングして比較的傷に対して強いものまで存在し、また傷付いたディスクを研磨により修復するという装置も市販され、このことからも分かるように、広い意味では拭き取りは表面を擦る事であり、これらのことから従来の拭き取り（擦り）では、表面に傷が付くのが避けられず、翻って、傷が付きにくいとするクロスなどの拭き取るクリーナー布も広い意味での研磨状態で有り、管理された研磨布などの研磨部材で研磨する装置は別とし、通常クリーナー用に使用されるクロスなどの拭き取り用のものでは、ディスク表面の擦り傷は避けられなかった。
【０００９】
また、特に指紋の付着に於いて、ディスクを持つとき、ディスク周縁部を持つことが殆どで、その時、指先がディスク周縁部から内側に曲がり、そのことによりディスク周縁部に指紋が付着することが多く、そのディスク表面に付着した指紋は、スプレーなどの洗浄剤で洗浄する商品として販売されているが、その洗浄には手間が掛かり、またクロスなどの使用では強くこすり拭き取らなければ汚れが落ちず、このことで擦り傷は避けられず、またディスクを持つたびにその様な、煩雑な行為を経なければ、ディスクを使用できないなど、汚れを取ることと傷に対する注意の必要性から、長らく簡易な汚れ取り装置が求められていた。
【００１０】
そして、このような擦り傷及び汚れなどは、ディスクの読みとりに不具合が生じる事があり、近年のＢＤに見る高密度のディスクでは特に注意が必要で、上述のような拭き取り（擦り）によるクリーナーは、ディスクの表面特性の表面堅さ（コーティングされた傷の付きにくい堅い表面を持つディスク）又はディスク表面の汚れ（埃のように表面に軽く付着、又は指紋などのように張り付き付着したもの）、によっても変わり、それぞれに対応させて拭き取り式の汎用品として、傷を付けずに汚れを取るのには無理があり、解決策が待たれていた。
【００１１】
このようなことから、従来の市販品及び提案の拭き取りによるディスクの汚れ取りは、ディスク表面の汚れをこすり取るもので有り、ディスク表面に擦り傷など付けずに、またこすり取ることなく汚れを取るものが久しく待たれ、本願のように粘着でディスクの汚れを取るものが提案されてなかった。
【課題を解決するための手段】
【００１２】
本発明は、上記課題を有効に達成するために、第１の解決手段として、クリーナー本体の下部からクリーニングローラの要部を突出させると共に回動且つ着脱自在に枢着し、該クリーニングローラがディスク表面に粘着すると共に回動と同期して移動することで汚れを取る、該クリーニングローラの少なくとも表面に粘着性部材を設けたことで、
こすり取ることなく、汚れをクリーニングローラに粘着させて取り除く事としている。
【００１３】
また、第２の解決手段は、クリーニングローラの要部のみがディスク表面に接触できるように、クリーニングローラを弾発変形部材で形成すると共に該要部を突出変形可能に設けたことで、
ディスクに薄く張り付いた指紋及び手あかなどをクリーニングローラの要部を変形させ、該要部に粘着させて取り除く事としている。
【発明の効果】
【００１４】
本発明は、上述したそれぞれの手段によって有効な効果が得られるようにしたもので、特に第１の解決手段のクリーナー本体の下部からクリーニングローラの要部を突出させると共に回動且つ着脱自在に枢着し、該クリーニングローラがディスク表面に粘着すると共に回動と同期して移動することで汚れを取る、該クリーニングローラの少なくとも表面に粘着性部材を設けたことにより、
クリーニングローラをディスク表面で回動しながら移動させることで、該クリーニングローラに汚れを粘着させているので、ディスク表面を擦ることなく、埃や指紋及び手あかなどの付着物を取り除くことができ、よってディスク表面に細かな擦り傷を付けることがなく、また擦ることによって生じる静電気も発生しないので、埃の二次付着を防ぐこともでき、ディスクの読みとり時における、傷による読みとりエラーが発生しない。
【００１５】
また、埃などディスク上に軽く乗っている状態または付着しているものは、クリーニングローラをディスク上で一度、回動しながら移動させることで素早く汚れを取り除くことができ、手間が省け、また該ディスクに余分な負荷を掛けないでクリーニングすることができる。
【００１６】
さらに、該クリーニングローラを使用して汚れると、着脱自在であるため、容易に取外して洗うことができ、常にきれいな状態のクリーニングローラが使用できる。
【００１７】
また第２の解決手段のクリーニングローラの要部のみがディスク表面に接触できるように、クリーニングローラを弾発変形部材で形成すると共に該要部を突出変形可能に設けたことにより、
クリーニングローラは、汚れの部分に合わせて要部を突出変形させて部分圧接することができるので、ディスク表面に指紋など強く付着した部分的な汚れを該クリーニングローラの該要部に粘着させて効率的に取り除く事ができ、且つ素早く取り除くことでディスクの接触回数を少なくし、よってディスク表面に余分な負荷を減らして傷の発生を防ぎ、光学式ディスクの読みとり時における読みとりエラーを無くして使用できる。
【００１８】
さらに、再生するディスクの取扱いに於いて、一般的にディスクを持つとき、その周縁部を持つことが殆どで、その時、指先がディスク周縁部から内側に曲がりやすく、そのことによりディスク周縁部近傍面に指紋の付着が集中し、その周縁部の指紋の汚れを取るとき、第１の解決手段のクリーニングローラ接触部全面接触の使用状態では、クリーニングローラの一部が周縁部からはみ出し、そのはみ出した部分が若干下側に曲がると共にそのことにより指紋が付着する周縁部で僅かに浮き上がるように変形して、該指紋の汚れと接触しない部分が生じ、そのような周縁部の汚れを取る時は、クリーニングローラの要部の突出変形による部分圧接で確実に接触させ、指紋の汚れをクリーニングローラに粘着させる事ができ、ディスク周縁部であっても、その汚れを集中して容易に取り除くことができる。
【００１９】
これらのことから、擦り傷を付けることなく、素早く容易にディスクの汚れを取り除くことができ、また周縁部の指紋及び手あかなどの汚れもクリーニングローラを変形させることで、素早く容易に取り除くことができるので、本発明は、実用上著大な効果を奏する。
【発明を実施するための最良の形態】
【００２０】
クリーニングローラをディスク表面に粘着させると共に回動させながら移動させる事で、ディスク表面に付着した指紋又は埃など汚れを該クリーニングローラに粘着させ、またディスク周縁部の指紋及び手あかなどの汚れは、クリーニングローラの要部を突出変形させて、その変形部で指紋及び手あかなどの汚れを集中して粘着させることで、ディスクに擦り傷など付けることなく汚れを取除くことを実現させた。
【実施例】
【００２１】
本発明の実施例を図面に基づいて説明すると、図１において、１は汚れ取り装置で、該汚れ取り装置１は、クリーナー本体２を有し、該クリーナー本体２の下部端からクリーニングローラ３の要部を突出させて着脱回動可能に、該クリーナー本体２の左右で枢着し、また該クリーナー本体２の上部側には、予備ローラ４を保持する予備ローラ保持体５を設けると共にクリーニングローラ３を押圧変形させる押しボタン部６、６をクリーナー本体２の略中央部の表裏面に可動可能に形成している。
【００２２】
そこで、上記クリーニングローラ３は、弾発変形部材の筒状で、少なくとも該ローラ表面部を粘着材により形成し、また図３に示すように該筒状の中心穴７に左右端から鍔付で筒状に形成した支軸８、８を嵌合して形成され、そして上述予備ローラ４も該クリーニングローラ３と同様に形成されている。
【００２３】
また、クリーニングローラ３がクリーナー本体２の下部に回動着脱自在に枢着される状態に於いて、図３に示すようにクリーナー本体２の左右下部内にバネ９，９により球支軸１０，１０を弾発押圧保持し、該球支軸１０，１０がクリーニングローラ３の支軸８，８に弾発嵌合して着脱回動可能に枢着している。
【００２４】
そしてまた、図２及び図４に示すように予備ローラ保持体５は、上述した予備ローラ４の略中央部を上から挟持するように嵌合保持され、該予備ローラ保持体５の略中央の摘み部１１、１１の内側に支持突起１２、１２をそれぞれ配設し、該支持突起１２、１２で予備ローラ４を挟持してクリーナー本体２の上部に内有させ、必要に応じて予備ローラ保持体５と共に予備ローラ４を取り出し、汚れたクリーニングローラ３と取り替え使用する。
【００２５】
さらに、上述した押しボタン部６、６に於いて、図４に示すように、押しボタン部６、６の端面形状が数字の略７の形状で、左右対称に配設形成され、該押しボタン部６、６の下端がクリーナー本体２に固着されると共に上部が出没の可動可能状態で形成され、該押しボタン部６、６でクリーニングローラ３を押圧変形できるように、該押しボタン部６、６の上部内側先端が押圧ローラ１３の上部形状に対応して傾斜させた押圧傾斜部１４、１４を形成している。
【００２６】
そして、該押圧ローラ１３は、短寸筒状で、クリーナー本体２の略中央部の押しボタン部６、６の押圧傾斜部１４、１４の下部とクリーニングローラ３の上部中央の間で遊嵌状に設けられ、該押しボタン部６、６と押圧ローラ１３が連動してクリーニングローラ３を突出変形させている。
なお、図中１５は、保存中にクリーニングローラ３に埃などが付着しないように着脱可能に設けたカバー１５である。
【００２７】
しかして、汚れ取り装置１を使用するとき、クリーナー本体２を持って、その下部に設けられたクリーニングローラ３を、図５に示すようにディスク１５の読みとり面上を転がすように、該クリーニングローラ３の回動と同期させながら移動させ、その時、該クリーニングローラ３の粘着によりディスク１５に粘着しながら回動し、強く押しつける必要もなく、その粘着力と回動で、ディスク１５の読みとり面の埃１６及び指紋など張り付いた汚れ１７をクリーニングローラ３表面に粘着させ取り除いている。
【００２８】
そして、その粘着は、クリーニングローラ３表面の粘着材にて、汚れを粘着材に引っ付けるようにして取るため、ディスク１５の読みとり面を擦ることなく汚れを取り除き、よって擦り傷が付くことなく、また擦ることによる静電気の発生もないので、埃の二次付着を防ぐこともできる。
【００２９】
而して、ディスク１５に付着した指紋など張り付いた汚れ１７を取るときに於いて、この指紋など張り付いた汚れ１７は、上述したようにディスク１５を持つときに、多くは周縁部を持つことで、その指先が周縁部より内側に曲がり、よってディスク該周縁部近傍に指紋が集中して付着することが多く、該ディスク１５の周縁部近傍の指紋など張り付いた汚れ１７を取り除くとき、図６に示すように、クリーニングローラ３の端部が該周縁部で変形すると共に下側に曲り、指紋が付着する該周縁部近傍で僅かに浮き上がり変形して僅かな隙間ができ、その僅かな隙間に位置する指紋など張り付いた汚れ１７が取れなかった。
【００３０】
そこで、上記周縁部の指紋など張り付いた汚れ１７及び強く張り付いた他の汚れを、クリーニングローラ３に粘着させるために、図７に示すように、押圧ローラ１３でクリーニングローラ３の要部を突出変形させて、部分圧接で粘着させるようにしているが、そのクリーニングローラ３の要部を突出変形させる作用に於いて、図４に示すように、クリーナー本体２の押しボタン部６、６を矢印Ｂ，Ｂ方向に押し込むと、該押しボタン部６、６の押圧傾斜部１４、１４により押圧ローラ１３が矢印Ｃ方向に押し出され、それによってクリーニングローラ３も図７に示すように、部分的に押圧変形することで要部を突出変形させている。
【００３１】
この突出変形させる作用の使用状況は、上述したように、通常のディスク１５表面の汚れを取るとき、上述図５に示したように、クリーニングローラ３の回動と粘着力で埃１６を取り除くが、ディスク１５の周縁部の指紋など張り付いた汚れ１７及び強く張り付いた他の汚れは、多少強く押し付けなければ取れないが、図６に示すように、該周縁部近傍では、そのことにより変形して僅かに浮き上がり、その僅かな隙間に位置する指紋など張り付いた汚れ１７がさらに取りづらいという事になり、そこで図８に示すように、クリーニングローラ３の要部を突出変形させることで、上述のような僅かな隙間を作ることなく部分圧接で指紋など張り付いた汚れ１７を取り、また強く張り付いた汚れも部分圧接で汚れ１７を引っ付けるように粘着させて取り除いている。
【００３２】
而して、以上のようにして使用されたクリーニングローラ３が、汚れて粘着能力が落ちると、該クリーニングローラ３を下方向に引き下げて取り外し、そしてクリーナー本体２の上部の予備ローラ保持体５の摘み部１１、１１を持って、該予備ローラ保持体５内に保持されている予備ローラ４と共に図２に示すような状態で取り出し、汚れたクリーニングローラ３が取り外されたクリーナー本体２の下側から、クリーニングローラ３側を上にして押し込み、球支軸１０，１０でそのクリーニングローラ３を弾発支持させることで、新しいクリーニングローラ３を指で直接触ることなく装着交換でき、該クリーニングローラ３に指紋などを付着させずに交換でき、一方汚れ取り外されたクリーニングローラ３は、洗浄の後、予備ローラ保持体５に予備ローラ４として、予備ローラ保持体５の支持突起１２、１２で再び保持させ、図２に示すような状態で再びクリーナー本体２に装着し、この一連の作業で取り替え使用する。
【００３３】
なお、上述したとおりディスク１５周縁部近傍の隙間は、僅かであるのでクリーニングローラ３の要部の突出変形は大きく変形させる必要がなく、よってその変形を中央部でなく、端部近傍若しくはクリーニングローラ３を傾斜させ、その傾斜の最下側に位置する該要部を突出部として使用しても良いが図示は省略した。
【００３４】
また、クリーニングローラ３は、全体が弾発変形部材の粘着材で形成しても良く、さらに中心穴７をクリーニングローラ３の左右端部のみに形成して支軸８，８を設けるようにしても良いが図示は省略した。
【００３５】
さらに、クリーニングローラ３を枢着する球支軸１０，１０としているが、棒状若しくは一本通しの軸とし又はクリーニングローラ３側にそれらを設けるようにしても良く、要はクリーニングローラ３が着脱且つ要部を他の構成と連動して変形させる事が可能なように設けられればよい。
【図面の簡単な説明】
【００３６】
【図１】本発明実施例の斜視図である。
【図２】本発明実施例の予備ローラ保持体５と予備ローラ４の正面図である。
【図３】本発明実施例の正面断面図である。
【図４】図３の矢視Ａ−Ａ線断面図である。
【図５】クリーニングローラ３の使用状態のイメージを示す要部の側面図である。
【図６】クリーニングローラ３の使用状態の要部を誇張して示す正面断面図である。
【図７】クリーニングローラ３の変形状態の要部を誇張して示す正面断面図である。
【図８】クリーニングローラ３の変形状態の要部を誇張して示す正面断面図である。
【符号の説明】
【００３７】
１  汚れ取り装置
２  クリーナー本体
３  クリーニングローラ
４  予備ローラ
６  押しボタン部
８  支軸
９  バネ
１０  球支軸
１３  押圧ローラ
【図１】
2010015622.tif 000003
【図２】
2010015622.tif 000004
【図３】
2010015622.tif 000005
【図４】
2010015622.tif 000006
【図５】
2010015622.tif 000007
【図６】
2010015622.tif 000008
【図７】
2010015622.tif 000009
【図８】
2010015622.tif 000010
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
クリーナー本体の下部にクリーニングローラを回動且つ着脱自在に枢着すると共にその要部をクリーナー本体下部より突出させて設けた表面粘着性部材を形成する該クリーニングローラにおいて、上記クリーナー本体の上部で予備ローラ保持体により着脱自在に保持された予備ローラと該クリーニングローラを交換可能とする共に該クリーニングローラの回動と同期してディスク表面に粘着して移動することで汚れを取ることを特徴とした光学式ディスク用汚れ取り装置。
【請求項２】
クリーニングローラの略中央部が突出して該要部のみがディスク表面に接触回動できるように、該クリーニングローラを弾発変形部材で形成すると共に必要に応じて適宜、クリーナー本体に可動可能に設けられた操作ボタンと中間連動する押圧ローラを介して該クリーニングローラの要部を押圧して、その要部のみを突出変形させることを特徴とした請求項１記載の光学式ディスク用汚れ取り装置。
【手続補正２】
【補正対象書類名】明細書
【補正対象項目名】０００２
【補正方法】変更
【補正の内容】
【０００２】
従来のディスクの埃及び指紋などの汚れを取るのは、ディスク面をこすることで拭き取る方法が採られ、一般的には洗浄液をスプレーなどでディスク面に吹き付け、クロス等で拭き取り、また手動又は電動の拭き取り部材パットなど及び洗浄液を備えた装置で汚れを拭き取るものが多く市販されている。
【手続補正３】
【補正対象書類名】明細書
【補正対象項目名】００１２
【補正方法】変更
【補正の内容】
【００１２】
本発明は、上記課題を有効に達成するために、第１の解決手段として、クリーナー本体の下部にクリーニングローラを回動且つ着脱自在に枢着すると共にその要部をクリーナー本体下部より突出させて設けた表面粘着性部材を形成する該クリーニングローラにおいて、上記クリーナー本体の上部で予備ローラ保持体により着脱自在に保持された予備ローラと該クリーニングローラを交換可能とする共に該クリーニングローラの回動と同期してディスク表面に粘着して移動することで汚れを取ることで、
こすり取ることなく、汚れをクリーニングローラに粘着させて取り除く事としている。
【手続補正４】
【補正対象書類名】明細書
【補正対象項目名】００１３
【補正方法】変更
【補正の内容】
【００１３】
また、第２の解決手段は、クリーニングローラの略中央部が突出して該要部のみがディスク表面に接触回動できるように、該クリーニングローラを弾発変形部材で形成すると共に必要に応じて適宜、クリーナー本体に可動可能に設けられた操作ボタンと中間連動する押圧ローラを介して該クリーニングローラの要部を押圧して、その要部のみを突出変形させることで、
ディスクに薄く張り付いた指紋及び手あかなどをクリーニングローラの要部を変形させ、該要部に粘着させて取り除く事としている。
【手続補正５】
【補正対象書類名】明細書
【補正対象項目名】００１４
【補正方法】変更
【補正の内容】
【００１４】
本発明は、上述したそれぞれの手段によって有効な効果が得られるようにしたもので、特に第１の解決手段のクリーナー本体の下部にクリーニングローラを回動且つ着脱自在に枢着すると共にその要部をクリーナー本体下部より突出させて設けた表面粘着性部材を形成する該クリーニングローラにおいて、上記クリーナー本体の上部で予備ローラ保持体により着脱自在に保持された予備ローラと該クリーニングローラを交換可能とする共に該クリーニングローラの回動と同期してディスク表面に粘着して移動することで汚れを取ることにより、
クリーニングローラをディスク表面で回動させながら粘着移動させることで、該クリーニングローラに汚れを粘着させているので、ディスク表面を擦ることなく、埃や指紋及び手あかなどの付着物を取り除くことができ、よってディスク表面に細かな擦り傷を付けることがなく、また擦ることによって生じる静電気も発生しないので、埃の二次付着を防ぐこともでき、ディスクの読みとり時における、傷による読みとりエラーが発生しない。
【手続補正６】
【補正対象書類名】明細書
【補正対象項目名】００１６
【補正方法】変更
【補正の内容】
【００１６】
さらに、該クリーニングローラを使用して汚れると、着脱自在であるため、容易に取外し、直接触ることなく予備ローラと装着交換して洗うことができ、洗って濡れている間は予備ローラ保持体で保持乾燥できるので、常にきれいな状態のクリーニングローラが使用できる。
【手続補正７】
【補正対象書類名】明細書
【補正対象項目名】００１７
【補正方法】変更
【補正の内容】
【００１７】
また第２の解決手段のクリーニングローラの略中央部が突出して該要部のみがディスク表面に接触回動できるように、該クリーニングローラを弾発変形部材で形成すると共に必要に応じて適宜、クリーナー本体に可動可能に設けられた操作ボタンと中間連動する押圧ローラを介して該クリーニングローラの要部を押圧して、その要部のみを突出変形させることにより、
クリーニングローラは、汚れの部分に合わせて要部を突出変形させて部分圧接することができるので、必要に応じてディスク表面に指紋など強く付着した部分的な汚れを該クリーニングローラの該要部に粘着させて効率的に取り除く事ができ、且つ汚れ部分に集中させて素早く取り除くことで、ディスクの接触回数を少なくし、よってディスク表面に余分な接触負荷を減らして傷の発生を防ぎ、光学式ディスクの読みとり時における読みとりエラーを無くして使用できる。
【手続補正８】
【補正対象書類名】明細書
【補正対象項目名】００１８
【補正方法】変更
【補正の内容】
【００１８】
上述の突出変形に関連して、再生するディスクの取扱いは、一般的にディスクを持つとき、その周縁部を持つことが殆どで、その時、指先がディスク周縁部から内側に曲がりやすく、そのことによりディスク周縁部近傍面に指紋の付着が集中し、その周縁部の指紋の汚れを取るとき、第１の解決手段のクリーニングローラ接触部全面接触の使用状態では、クリーニングローラの一部が周縁部からはみ出し、そのはみ出した部分が若干下側に曲がると共にそのことにより指紋が付着する周縁部で僅かに浮き上がるように変形（後述する図６参照）して、該指紋の汚れと接触しない部分が生じ、そのような周縁部の汚れを取る時は、クリーニングローラの要部の突出変形による部分圧接で確実に接触させ、指紋の汚れをクリーニングローラに粘着させる事ができ、ディスク周縁部であっても、その汚れを集中して容易に取り除くことができる。